(57)【要約】【課題】  再利用が可能で、また、容易に片付けることができる引っ越し用収納ケースを提供すること。【解決手段】  底面１０３と側壁１０４とからなり、側壁１０４の下端１０４ａが上端１０４ｂよりも内側に位置し、一方の梱包ケース本体１０１Ｂの内部に他方の梱包ケース本体１０１Ａを収納することができる樹脂製の梱包ケース本体１０１Ａと１０１Ｂとを、これらの側壁１０４の下端１０４ａに取り付けた梱包ケース本体用スタンド１０２を用いて連結して積み重ねることができるようにしたことを特徴とする引っ越し用収納ケース１００を提供する。【選択図】    図１
2005170492.tif 000002
【特許請求の範囲】
【請求項１】
底面と、前記底面の周縁において直立し、前記底面よりも下方に突出した側壁と、からなる樹脂製の梱包ケース本体であって、前記側壁の下端が前記側壁の上端よりも内側に位置するようにすることで、一の前記梱包ケース本体の前記底面を、他の前記梱包ケース本体の上方から他の前記梱包ケース本体の内部に納めることにより前記梱包ケース本体同士を重ね合わせることができるようにした梱包ケース本体と、
前記下端に嵌合する嵌合用凹部と、前記側壁の外周面側の水平方向に突出したフランジ部と、を有する梱包ケース本体用スタンドであって、前記嵌合用凹部を一の前記梱包ケース本体の前記下端に嵌合し、他の前記梱包ケース本体の前記上端に前記フランジ部を引っ掛けることにより、一の前記梱包ケース本体と他の前記梱包ケース本体とを連結することができるようにした梱包ケース本体用スタンドと、
を備えることを特徴とする引っ越し用梱包ケース。
【請求項２】
前記フランジ部には、前記フランジ部から下方に突出し、前記側壁の内側面を支持する支持部材が設けられていることを特徴とする請求項１に記載の引っ越し用梱包ケース。
【請求項３】
一の前記梱包ケース本体と、他の前記梱包ケース本体と、を前記側壁のコーナー部で連結するよう、前記梱包ケース本体用スタンドは９０°に湾曲していることを特徴とする請求項１又は２に記載の引っ越し用梱包ケース。
【請求項４】
一の前記梱包ケース本体と、他の前記梱包ケース本体と、を前記側壁の直線部分で連結するよう、前記梱包ケース本体用スタンドは直線状に形成されていることを特徴とする請求項１又は２に記載の引っ越し用梱包ケース。
【請求項５】
前記梱包ケース本体の少なくとも一部は、その外部からその内部を見ることができるようにされていることを特徴とする請求項１乃至４の何れか一項に記載の引っ越し用梱包ケース。
【請求項６】
前記梱包ケース本体は、収納スペースに収納することができる大きさ及び形状に形成されているものであることを特徴とする請求項１乃至５の何れか一項に記載の引っ越し用梱包ケース。
【請求項７】
請求項１乃至６の何れか一項に記載の引っ越し用梱包ケースを用いた引っ越し方法であって、
引っ越し依頼者に前記引っ越し用梱包ケースを送るステップと、
前記引っ越し用梱包ケースに引っ越し対象物を収納し、前記引っ越し用梱包ケースを引っ越し先に送るステップと、
引っ越し後に、前記引っ越し用梱包ケースを回収するステップと、
を備えることを特徴とする引っ越し方法。
【請求項８】
引っ越しの際に、前記引っ越し依頼者が引っ越し前に使用しており、引っ越し後に不要となる樹脂製収納容器を回収するステップを備えることを特徴とする請求項７に記載の引っ越し方法。
【請求項９】
請求項１乃至６の何れか一項に記載の引っ越し用梱包ケースの販売方法であって、
引っ越し依頼者に前記引っ越し用梱包ケースを送るステップと、
前記引っ越し用梱包ケースに引っ越し対象物を収納し、前記引っ越し用梱包ケースを引っ越し先に送るステップと、
引っ越しの際に使用した前記引っ越し用梱包ケースの中から前記引っ越し依頼者が買い取りを希望する前記引っ越し用梱包ケースの代金を徴収するステップと、
引っ越しの際に使用しなかった前記引っ越し用梱包ケース及び前記引っ越し依頼者が買い取りを希望しなかった前記引っ越し用梱包ケースを回収するステップと、
を備えることを特徴とする引っ越し用梱包ケースの販売方法。
【請求項１０】
引っ越しの際に、前記引っ越し依頼者が引っ越し前に使用しており、引っ越し後に不要となる樹脂製収納容器を回収するステップを備えることを特徴とする請求項９に記載の引っ越し用梱包ケースの販売方法。
【発明の詳細な説明】
【技術分野】
【０００１】
本発明は、引っ越し用梱包ケースに関する。
【背景技術】
【０００２】
従来の引っ越しにおいては、段ボール箱（例えば、特許文献１参照）に衣服や食器等の引っ越し対象物を収納して運搬することが行われており、また、引っ越し先では、このような段ボール箱から引っ越し対象物を取り出して元の棚等に片付けることが行われていた。
【特許文献１】特開平８−３０１２６５号公報。
【発明の開示】
【発明が解決しようとする課題】
【０００３】
しかしながら、従来のように、引っ越しの際に段ボール箱を用いた場合には、破損や汚れ等により再利用が困難であり、一度使用した段ボールは捨てられていたため、資源の有効利用の点から問題があった。
【０００４】
また、引っ越し先で段ボールから衣服等を取りだして元の棚等に片付けるのでは、手間がかかり、多大なる労力を払っていた。
【０００５】
そこで、本発明は、再利用が可能で、また、容易に片付けることができる引っ越し用収納ケースを提供することを目的とする。
【課題を解決するための手段】
【０００６】
以上の課題を解決するため、本発明は、底面と、前記底面の周縁において直立し、前記底面よりも下方に突出した側壁と、からなる樹脂製の梱包ケース本体であって、前記側壁の下端が前記側壁の上端よりも内側に位置するようにすることで、一の前記梱包ケース本体の前記底面を、他の前記梱包ケース本体の上方から他の前記梱包ケース本体の内部に納めることにより前記梱包ケース本体同士を重ね合わせることができるようにした梱包ケース本体と、前記下端に嵌合する嵌合用凹部と、前記側壁の外周面側の水平方向に突出したフランジ部と、を有する梱包ケース本体用スタンドであって、前記嵌合用凹部を一の前記梱包ケース本体の前記下端に嵌合し、他の前記梱包ケース本体の前記上端に前記フランジ部を引っ掛けることにより、一の前記梱包ケース本体と他の前記梱包ケース本体とを連結することができるようにした梱包ケース本体用スタンドと、を備えることを特徴とする引っ越し用梱包ケースを提供する。
【０００７】
このように、衣類や食器などを入れる梱包ケース本体を樹脂により形成することにより、容易に破損せず、また、付いた汚れを容易に取り除くことができるため、再利用が可能となる。
【０００８】
そして、梱包ケース本体同士を重ね合わせることができるようにしているため、未だ引っ越しの対象物を入れていないときには、重ね合わせておくことで、かさばることがなく、また、梱包ケース本体用スタンドを用いて連結することで、中に引っ越しの対象物を入れた状態で梱包ケース本体同士を積み重ねることができ、引っ越しの際に便利である。
【０００９】
なお、梱包ケース本体用スタンドに形成されているフランジ部には、このフランジ部から下方に突出し、梱包ケース本体の側壁の内側面を支持する支持部材を設けておくことにより、梱包ケース本体同士を積み重ねた際にぐらつくことがなくなる。
【００１０】
ここで、梱包ケース本体用スタンドについては、所定の位置で９０°に湾曲するように形成することで、一の梱包ケース本体と、他の梱包ケース本体と、をこれらの側壁のコーナー部で連結することができる。
【００１１】
また、梱包ケース本体用スタンドを直線状に形成することで、一の梱包ケース本体と、他の梱包ケース本体と、をこれらの側壁の直線部分で連結することができる。
【００１２】
さらに、梱包ケース本体には、その内部にボール紙からなる仕切を入れることができるようにしておくことで、スプーンや髪飾り等の小物を収納する際に便利である。
【００１３】
また、梱包ケース本体の少なくとも一部は、その外部からその内部を見ることができるようにされていることにより、中に入れた物を外部から見分けることができ、引っ越しの際の作業性が高まる。
【００１４】
さらに、梱包ケース本体の大きさ及び形状については引っ越しを効率的に行うことができる範囲で適時選択することができる設計事項であるが、例えば、押し入れ等の収納スペースに収納することができる大きさ及び形状に形成しておくことで、引っ越しの対象物を入れたままこの梱包ケース本体を収納スペースに入れることができ、引っ越し後の片付けの手間を大幅に減らすことができるようになる。
【００１５】
また、本発明は、以上に記載した引っ越し用梱包ケースを用いた引っ越し方法であって、引っ越し依頼者に前記引っ越し用梱包ケースを送るステップと、前記引っ越し用梱包ケースに引っ越し対象物を収納し、前記引っ越し用梱包ケースを引っ越し先に送るステップと、引っ越し後に、引っ越し用梱包ケースを回収するステップと、を備えることを特徴とする引っ越し方法を提供する。
【００１６】
このような方法により引っ越しを行うことにより、引っ越し対象物を入れる段ボール等がゴミとして排出されるのを防止することができる。
【００１７】
なお、このような引っ越し方法を採用する場合には、引っ越しの際に、引っ越し依頼者が引っ越し前に使用しており、引っ越し後に不要となる樹脂製収納容器を回収するステップを備えることも可能である。
【００１８】
また、本発明は、以上に記載した引っ越し用梱包ケースの販売方法であって、引っ越し依頼者に前記引っ越し用梱包ケースを送るステップと、前記引っ越し用梱包ケースに引っ越し対象物を収納し、前記引っ越し用梱包ケースを引っ越し先に送るステップと、引っ越しの際に使用した前記引っ越し用梱包ケースの中から前記引っ越し依頼者が買い取りを希望する前記引っ越し用梱包ケースの代金を徴収するステップと、引っ越しの際に使用しなかった前記引っ越し用梱包ケース及び前記引っ越し依頼者が買い取りを希望しなかった前記引っ越し用梱包ケースを回収するステップと、を備えることを特徴とする引っ越し用梱包ケースの販売方法を提供する。
【００１９】
このような方法により引っ越し用梱包ケースを販売することにより、引っ越し依頼者の引っ越し後の片付けの手間を省くことができ、また、梱包ケースの販売を促進することができる。
【００２０】
なお、このような販売方法を採用する場合には、引っ越しの際に、引っ越し依頼者が引っ越し前に使用しており、引っ越し後に不要となる樹脂製収納容器を回収するステップを備えることが望ましい。
【発明の効果】
【００２１】
以上のように、本発明によれば、樹脂により梱包ケース本体が形成されているため、再利用が可能で、また、この引っ越し用梱包ケースをそのまま収納スペースに収納することで、容易に引っ越しの対象物を片付けることができる引っ越し用収納ケースを提供することができる。
【発明を実施するための最良の形態】
【００２２】
図１は、本発明の第一の実施形態に係る引っ越し用梱包ケース１００の上方斜視図である。
【００２３】
本実施形態に係る引っ越し用梱包ケース１００は、梱包ケース本体１０１Ａ、１０１Ｂと梱包ケース本体用スタンド１０２と、により構成されている。
【００２４】
梱包ケース本体１０１Ａ、１０１Ｂは、矩形状に形成された底面１０３と、この底面１０３の周縁において直立した側壁１０４と、により構成されており、図３（梱包ケース本体１０１Ａ、１０１Ｂ及び梱包ケース本体用スタンド１０２の下方斜視図）に表されているように、側壁１０４は、底面１０３よりも下方に突出している。
【００２５】
また、側壁１０４の下端１０４ａは、その上端１０４ｂよりも内側に位置するように形成されていることにより、図２（梱包ケース本体１０１Ａ、１０１Ｂ同士を重ね合わせた際の上方斜視図）に表されているように、一の梱包ケース本体１０１Ａの底面（他の梱包ケース本体１０１Ｂの内部にあるため図示せず）を、他の梱包ケース本体１０１Ｂの上方からこの梱包ケース本体１０１Ｂの内部に納めることによりこれらの梱包ケース本体１０１Ａ、１０１Ｂ同士を重ね合わせることができるようにされている。
【００２６】
ここで、本実施形態においては、梱包ケース本体１０１Ａ、１０１Ｂの大きさ・形状は、後述する梱包ケース本体用スタンド１０２を用いて、これらの梱包ケース本体１０１Ａ、１０１Ｂを二つ積み重ねた状態で、押し入れに収納することができる大きさ・形状に形成しているため、これらの梱包ケース本体１０１Ａ、１０１Ｂの中に衣服等の引っ越し対象物を入れたまま、押し入れに収納することができるようにされている。
【００２７】
また、本実施形態における梱包ケース本体１０１Ａ、１０１Ｂの全体は、透明のポリプロピレン樹脂により形成されているため、外部から内部に入れられた物を見ることができるようにされている。
【００２８】
図３に表されているように、梱包ケース本体用スタンド１０２は、嵌合用凹部１０５と、この嵌合用凹部１０５と、水平方向に突出したフランジ部１０６と、を備えており、フランジ部１０２には、下方に突出する支持部材１０７が設けられている。
【００２９】
ここで、嵌合用凹部１０５は、梱包ケース本体１０１Ａ、１０１Ｂの側壁１０４の下端１０４ａに嵌め込むことができるような大きさ・形状に形成されており、梱包ケース本体用スタンド１０２は、嵌合用凹部１０５を側壁１０４の下端１０４ａに嵌め込むことにより、梱包ケース本体１０１Ａ、１０１Ｂに固定することができるようにされている。
【００３０】
即ち、嵌合用凹部１０５の間隔Ｘは、側壁１０４の幅Ｙとほぼ同一にされていることから、この嵌合用凹部１０５を側壁１０４の下端１０４ａに隙間なく嵌め込み、固定することが出来るようにされている。
【００３１】
なお、梱包ケース本体用スタンド１０２には、嵌合用凹部１０５を形成する壁面の内、外側に位置する壁面１０９と連続した平面を有している突出部１０８が嵌合用凹部１０５よりも上方に突出するように設けられているため、嵌合用凹部１０５を側壁１０４の下端１０４ａに嵌め込んだ際に、側壁１０４の外周面１０４ｃとこの突出部１０８とが密着して、梱包ケース本体用スタンド１０２と梱包ケース本体１０１Ａ、１０１Ｂとがぐらつくのを防止している。
【００３２】
梱包ケース本体用スタンド１０２に形成されているフランジ部１０６は、嵌合用凹部１０５を梱包ケース本体１０１Ａ、１０１Ｂの側壁１０４の下端１０４ａに取り付けた際に、この側壁１０４の外周面１０４ｃ側に突出するように形成されている。
【００３３】
従って、梱包ケース本体１０１Ａ、１０１Ｂの側壁１０４の下端１０４ａに梱包ケース本体用スタンド１０２を取り付けた状態で、一方の梱包ケース本体１０１Ａを他方の梱包ケース本体１０１Ｂの上方に載せると、図１で表されているように、このフランジ部１０６が側壁１０４の上端１０４ｂに引っかかり、梱包ケース本体１０１Ａ、１０１Ｂ同士を積み重ねることができるようになる。
【００３４】
なお、このフランジ部１０６には、下方に突出する支持部材１０７が設けられており、この支持部材１０７は、一方の梱包ケース本体１０１Ａを他方の梱包ケース本体１０１Ｂの上に積み重ねた際に、他方の梱包ケース本体１０１Ｂの側壁１０４の内周面１０４ｄと密着するようにされている。
【００３５】
このように、一方の梱包ケース本体１０１Ａを他方の梱包ケース本体１０１Ｂの上に積み重ねた際に、他方の梱包ケース本体１０１Ｂの側壁１０４の内周面１０４ｄと密着する支持部材１０７をフランジ部１０６に形成しておくことにより、これらの梱包ケース本体１０１Ａ、１０１Ｂ同士を積み重ねた際に、これらの梱包ケース本体１０１Ａ、１０１Ｂ同士がぐらつくのを防止することができる。
【００３６】
ここで、本実施形態に係る梱包ケース本体用スタンド１０２は、梱包ケース本体１０１Ａ、１０１Ｂの側壁１０４のコーナーに取り付けることとしているため、このコーナーの形状に合わせて、９０°に湾曲した形状に形成されている。
【００３７】
以上のように、本実施形態に係る引っ越し用梱包ケース１００を構成したので、梱包ケース本体１０１Ａ、１０１Ｂに衣服などの引っ越し対象物を入れていないときには、図２に表されているように、梱包ケース本体１０１Ａ、１０１Ｂ同士を重ね合わせることにより省スペースにおいて保管・運搬をすることができ、梱包ケース本体１０１Ａ、１０１Ｂの中に引っ越し対象物を入れたときには、梱包ケース本体用スタンド１０２を取り付けることで、これらの梱包ケース本体１０１Ａ、１０１Ｂの中に物を入れた状態で、これらを積み重ねることができるようになる。
【００３８】
なお、本実施形態においては、梱包ケース本体１０１Ａ、１０１Ｂの側壁１０４のコーナーに取り付けるために、梱包ケース本体用スタンド１０２をコーナーの形状に合わせて９０°に湾曲した形状に形成しているが、図４（梱包ケース本体１０１Ａ、１０１Ｂ及び梱包ケース本体用スタンド２０２の下方斜視図）に表されているように、側壁１０４の直線部分に梱包ケース本体用スタンド２０２を取り付けるようにする場合には、梱包ケース本体用スタンド２０２を直線状に形成することも可能である。
【００３９】
なお、この梱包ケース本体用スタンド２０２については、直線状に形成されている他は上述した梱包ケース本体用スタンド１０２と同様の構成を有しているため、説明を省略する。
【００４０】
また、以上の説明では、梱包ケース本体１０１Ａ、１０１Ｂを二つ用いて説明したが、これらは二つに限定されるわけではなく、任意の数において用いることができる。
【００４１】
なお、本実施形態においては、梱包ケース本体１０１Ａ、１０１Ｂの全体を透明のポリプロピレン樹脂により形成しているが、梱包ケース本体１０１Ａ、１０１Ｂの一部のみを透明のポリプロピレン樹脂により形成し、その一部から内部に入れられた物を見ることができるようにすることもできる。
【００４２】
また、梱包ケース本体１０１Ａ、１０１Ｂを形成する樹脂についてもポリプロピレン樹脂に限定されない。
【００４３】
図５は、引っ越し用梱包ケース１００を用いた引っ越し方法及び引っ越し用梱包ケース１００の販売方法を表すフローチャートである。
【００４４】
まず、引っ越し依頼者に引っ越し用梱包ケース１００を送る（Ｓ３１０）。
【００４５】
ここで、引っ越し依頼者に引っ越し用梱包ケース１００を送る場合には、梱包ケース本体１０１Ａ、１０１Ｂを図２のように重ね合わせた状態で送ることにより、これらがかさばることなく、省スペースで送ることができる。
【００４６】
引っ越し用梱包ケース１００が送られてきた引っ越し依頼者は、梱包ケース本体１０１Ａ、１０１ｂの側壁１０４の下端１０４ａに梱包ケース本体用スタンド１０２を取り付けてから、梱包ケース本体１０１Ａ、１０１Ｂの中に衣服等の引っ越し対象物を収納して、引っ越しの準備を行う（Ｓ３１１）。
【００４７】
ここで、引っ越し依頼者が引っ越し以前から使用しており、引っ越し後は不要となる樹脂製収納容器がある場合には、これを回収し、引っ越し用梱包ケース１００の原料とする（Ｓ３１２）。
【００４８】
引っ越し対象物が収納された梱包ケース本体１０１Ａ、１０１Ｂは、図１に表されているように、積み重ねられて、引っ越し先に送られる（Ｓ３１３）。
【００４９】
引っ越し先において、梱包ケース本体１０１Ａ、１０１Ｂに入れられた引っ越し対象物を取り出して片付けを行う（Ｓ３１４）。
【００５０】
この際、本実施形態における引っ越し用梱包ケース１００は、梱包ケース本体１０１Ａ、１０１Ｂを二つ積み重ねた状態で押し入れに収納することができる大きさ・形状に形成されているため、特に必要がない場合には、梱包ケース本体１０１Ａ、１０１Ｂを二つ積み重ねた状態で押し入れに収納することにより片付けを行うことができる。
【００５１】
次に、押し入れにそのまま収納する等の理由から、引っ越し依頼者が買い取ることを希望する場合には（Ｓ３１５）、その引っ越し用梱包ケース１００の代金を算出して、その代金を徴収する（Ｓ３１６）。
【００５２】
そして、残りの引っ越し用梱包ケース１００、すなわち、引っ越しに使用しなかった引っ越し用梱包ケース１００及び引っ越し依頼者が買い取ることを決定しなかった引っ越し用梱包ケース１００がある場合（Ｓ３１７）には、残りの引っ越し用梱包ケース１００を回収する（Ｓ３１８）。
【００５３】
以上のような販売方法をとることにより、段ボールのようなゴミが出ることなく、引っ越しを行うことができ、また、引っ越し後の片付けが容易な引っ越し用梱包ケース１００の販売を促進することができる。
【図面の簡単な説明】
【００５４】
【図１】引っ越し用梱包ケース１００の上方斜視図。
【図２】梱包ケース本体１０１Ａ、１０１Ｂ同士を重ね合わせた際の上方斜視図。
【図３】梱包ケース本体１０１Ａ、１０１Ｂ及び梱包ケース本体用スタンド１０２の下方斜視図。
【図４】梱包ケース本体１０１Ａ、１０１Ｂ及び梱包ケース本体用スタンド２０２の下方斜視図。
【図５】引っ越し用梱包ケース１００を用いた引っ越し方法及び引っ越し用梱包ケース１００の販売方法を表すフローチャート。
【符号の説明】
【００５５】
１００  引っ越し用梱包ケース
１０１  梱包ケース本体
１０２、２０２  梱包ケース本体用スタンド
１０３  底面
１０４  側壁
１０５  嵌合用凹部
１０６  フランジ部
１０７  支持部材
【図１】
2005170492.tif 000003
【図２】
2005170492.tif 000004
【図３】
2005170492.tif 000005
【図４】
2005170492.tif 000006
【図５】
2005170492.tif 000007